(57)【特許請求の範囲】
【請求項１】
磁気媒体に情報の記録又は再生を行う磁気ヘッド素子と、前記磁気ヘッド素子を保持するための磁気ヘッドケースとを有する磁気ヘッドにおいて、前記磁気ヘッドケースの一方の内側側面に磁気ヘッド素子の側面を密着させて磁気ヘッド素子の磁気ギャップ位置を固定するための位置基準面が凸状に磁気ヘッドケースと一体に形成され、前記磁気ヘッドケースの位置基準面と対向する側面には、磁気ヘッド素子を前記位置基準面に密着させるためのネジを挿通するタップ穴が設けられ、前記磁気ヘッドケースのタップ穴の両側には、磁気ヘッド素子のアジマスを調整するためのネジを挿通するタップ穴が設けられていることを特徴とする磁気ヘッド。
【発明の詳細な説明】
【０００１】
【発明の属する技術分野】
本発明は、磁気記録媒体に情報を記録し、或いは記録情報を再生する磁気カード用マルチ磁気ヘッド、特に、自動乗車券発行装置や自動改札装置等の磁気記録再生装置に好適なマルチ磁気ヘッドに関するものである。
【０００２】
【従来の技術】
従来、カード状の磁気記録媒体を使用した磁気カード装置は各種分野に広く使用されている。特に、交通機器用の磁気媒体としてエドモンソン券（以下、磁気切符と称する）や定期券等が使用されているが、これらの磁気切符や定期券を用いた磁気カード装置としては、複数のデータトラックにデータを記録再生することで磁気切符や定期券を発行する磁気カード発行装置、或いはそのデータを照合することにより駅等の入出場を管理する磁気ゲート装置が広く普及している。
【０００３】
これらの磁気カード装置には、データの記録・再生やデータの書き換え・照合のため複数のデータトラックを持つ磁気ヘッドを使用したカードリーダが組み込まれており、磁気媒体に応じて所定トラックのデータ処理を行っている。一般的には、データを書込むためのライト用磁気ヘッドとデータを読み取るためのリード用磁気ヘッドが組み込まれている。
【０００４】
図７はこれらの磁気ヘッドの平面図、図８は図７のＡ−Ａ線における断面図である。図中１は磁気ギャップ、２は巻線（図示せず）を有する磁気コア、３は磁気シールド部材である。磁気コア２と磁気シールド部材３は非磁性から成る支持部材４に交互に所定間隔で支持されている。また、これらの磁気コア２や磁気シールド部材３は、磁気媒体との摺動面側に露出している。これを、磁気ヘッド素子５とする。
【０００５】
この磁気ヘッド素子５は、摺動面側に開口した磁気ヘッドケース６に組み込まれている。磁気ヘッドケース６には、カードリーダに取り付けるためのネジ穴７等が設けられている。磁気コア２に施された巻線は、磁気ヘッドケース６に設けられたコネクタ８にＦＰＣ９によって接続されており、ここから不図示の外部回路に接続されている。
【０００６】
ここで、磁気ヘッド素子５を磁気ヘッドケース６に組み込む時には、磁気ヘッド素子５のギャップ位置、トラック位置、アジマス、チルト、磁気ヘッドケース６からの突出量を調整している。
【０００７】
以下、従来の調整手順について説明する。まず、磁気ヘッドケース６の中に板バネ１０ａ、１０ｂと磁気ヘッド素子５を組み込む。この場合、磁気ヘッドケース６には突出量を規定する位置基準面１１が設けられており、この位置基準面１１に磁気ヘッド素子５を押し付けることで磁気ヘッド素子５の高さＨＬとチルトＨΘを固定する。また、磁気ヘッドケース６には磁気ヘッド素子５をネジで固定するために板バネ１０ａ、１０ｂとは反対側にタップ穴１２ａ、１２ｂが設けられており、ネジ１３ａ、１３ｂを用いて磁気ヘッド素子５を仮に固定する。
【０００８】
次に、磁気ヘッドケース６を工場顕微鏡の付いた位置出し治具１４に取り付ける。図９は磁気ヘッドケース６を位置出し治具１４に取り付けた状態を示す平面図、図１０はその側面図である。この状態で、ネジ１３ａ、１３ｂを回して磁気ヘッド素子５のギャップ位置ＧＬとアジマスＧΘを調整する。トラック位置ＴＬを調整する場合は、磁気ヘッドケース６に穴２１が空いており、ここから位置出し治具１４に設けられたネジ１５を挿通し、このネジ１５を用いてトラック位置の調整を行う。これらの調整は治具１４の顕微鏡を用いて行う。すべての調整を完了すると、磁気ヘッド素子５を磁気ヘッドケース６に接着剤で固定する。その後、摺動面を円筒研削によって規定のＲ形状に形成して磁気ヘッドが完成する。
【０００９】
【発明が解決しようとする課題】
しかしながら、上記従来の磁気ヘッドにおいては、ギャップ位置ＧＬとアジマスＧΘの調整を同時に行っており、その調整を板バネ１０ａ、１０ｂを使用して行っているため、アジマスＧΘを調整する度にギャップＧＬの位置が変わってしまい、調整に時間がかかっていた。
【００１０】
また、以上の説明では磁気ヘッド素子５を磁気ヘッドケース６に固定した後に磁気ヘッド素子５の摺動面を円筒研削するとしているが、磁気ヘッド素子５の摺動面を円筒研削してから磁気ヘッドケース６に組み込むことも可能である。しかし、磁気ヘッド素子５を磁気ヘッドケース６に組み込み、前述のようにギャップ位置やアジマスを調整する場合、板バネ１０ａ、１０ｂを使用しているため、磁気ヘッド素子５が図８に示すようにＲΘ方向に回転してしまい、摺動面のＲ頂点とギャップ位置が同位置にくるように調整することが困難であった。
【００１１】
ここで、磁気ヘッド素子５を磁気ヘッドケース６に組み込む前に円筒研削する場合とは、例えば、耐摩耗性を向上するため、円筒研削した摺動面にスパッタ等で高硬度の材料を成膜する場合である。このように磁気ヘッド素子５を組み込む前に円筒研磨する場合には、磁気ヘッドケース６より磁気ヘッド素子５の方が小さく、スパッタ装置内に数多く入るため磁気ヘッドを安価に作製することが可能である。
【００１２】
本発明は、上記従来の問題点に鑑みなされたもので、その目的は、ギャップ位置とアジマスを容易に短時間で調整できると共に、磁気ヘッド素子の摺動面を円筒研削してから磁気ヘッドケースに組み込む場合には、摺動面のＲ頂点とギャップを容易に同位置に調整することが可能な磁気ヘッドを提供することにある。
【００１３】
【課題を解決するための手段】
本発明は、磁気媒体に情報の記録又は再生を行う磁気ヘッド素子と、前記磁気ヘッド素子を保持するための磁気ヘッドケースとを有する磁気ヘッドにおいて、前記磁気ヘッドケースの一方の内側側面に磁気ヘッド素子の側面を密着させて磁気ヘッド素子の磁気ギャップ位置を固定するための位置基準面が凸状に磁気ヘッドケースと一体に形成され、前記磁気ヘッドケースの位置基準面と対向する側面には、磁気ヘッド素子を前記位置基準面に密着させるためのネジを挿通するタップ穴が設けられ、前記磁気ヘッドケースのタップ穴の両側には、磁気ヘッド素子のアジマスを調整するためのネジを挿通するタップ穴が設けられていることを特徴とする。
【００１４】
【発明の実施の形態】
以下、本発明の実施の形態について図面を参照して詳細に説明する。
【００１５】
（第１の実施形態）
図１は本発明の第１の実施形態の構成を示す平面図、図２は図１のＡ−Ａ線における断面図である。なお、図１、図２では図７、図８の従来装置と同一部分は同一符号を付している。
【００１６】
図中１は、非磁性のギャップ材（磁気ギャップ）、２ａ、２ｂは所定のトラック幅を持ちギャップ材１を挟んで配置された磁性材料（例えば、パーマロイもしくはFe・Al・Si系合金等）から成る磁気コア、３は磁気シールド部材である。それぞれの磁気コア２ａ、２ｂには巻線（不視図）が巻装され、巻線の端末は端子に接続されている。磁気コア２ａ、２ｂと磁気シールド部材３は交互に配置されている。
【００１７】
ここで、それぞれのコア２ａ、２ｂは所定のトラックピッチとなるようにアルミニウム・アルミニウム系合金・洋白等の非磁性材料から成る支持部材４で保持されている。ギャップ材１、コア２ａ、２ｂ、磁気シールド部材３、支持部材４から成る素子を磁気ヘッド素子５という。磁気ヘッド素子５は磁気媒体に対し情報の記録、或いは記録情報の再生を行うのに用いられる。磁気ヘッド素子５の端子は、ＦＰＣ９に半田付けで接続され、更にＦＰＣ９を介してコネクタ８に接続されている。
【００１８】
磁気ヘッド素子５は磁気ヘッドケース６に組み込まれ、この磁気ヘッドケース６は摺動面側に開口した箱型に形成されている。磁気ヘッドケース６の内側における側面中央には、図１に示すように磁気ヘッド素子５を密着させて磁気ギャップ位置を出すための位置基準面１６が凸状に設けられている。また、磁気ヘッド素子５を位置基準面１６に密着させるため、磁気ヘッドケース６の位置基準面１６と対向する面にネジ１９を挿通するためのタップ穴１７が設けられている。
【００１９】
タップ穴１７の両側には、磁気ヘッド素子５のアジマスを調整するためのタップ穴１８ａ、１８ｂがそれぞれ設けられている。また、磁気ヘッドケース６には、図２に示すように磁気ヘッド素子５が乗る面を密着させて磁気ヘッド素子５の突出量を規定するための位置基準面１１が設けられている。更に、磁気ヘッドケース６の左右の壁には、磁気ヘッド素子５のトラック位置を調整するための穴２１が設けられている。この穴２１に後述する位置出し治具に設けられたトラック位置調整用のネジが挿通する構成である。
【００２０】
また、磁気ヘッドケース６の下部には、図２に示すようにカードリーダ装置（図示せず）に取り付けるための複数のタップ穴７等が設けられている。以上のように構成された磁気ヘッド素子５と磁気ヘッドケース６を組み合わせて磁気ヘッドが構成されている。
【００２１】
次に、磁気ヘッドの組立方法について説明する。まず、磁気ヘッドケース６内に磁気ヘッド素子５を挿入し、ネジ１９，２０ａ、２０ｂを磁気ヘッドケース６のタップ穴１７、１８ａ、１８ｂに挿入する。次いで、磁気ヘッド素子５を磁気ヘッドケース６の位置基準面１６にネジ１９を用いて軽く押し付けて固定する。位置基準面１６に押し付けることにより磁気ヘッド素子５のギャップ位置ＧＬが固定される。また、磁気ヘッド素子５を位置基準面１１に押し付けることにより磁気ヘッド素子５の高さＨＬが固定される。
【００２２】
次に、工場顕微鏡の付いた位置出し治具１４に磁気ヘッドケース６を取り付ける。図３は磁気ヘッドケース６を位置出し治具１４に取り付けた状態を示す平面図、図４はその側面図である。この状態で、磁気ヘッドケース６の穴２１から位置出し治具１４に取付けられたネジ１５を用いて磁気ヘッド素子５のトラック位置ＴＬを調整する。トラック位置ＴＬの調整を完了すると、ネジ１９を締めてネジ１５を緩めて置く。
【００２３】
次に、ネジ２０ａとネジ２０ｂを用いて磁気ヘッド素子５のアジマスＧΘを調整する。この時、位置基準面１６は固定されているので、ギャップ位置ＧＬはアジマスＧΘを調整してもほとんど変化することがない。位置調整を完了したら瞬間接着剤で仮固定する。
【００２４】
次に、磁気ヘッド素子５の端子からＦＰＣ９を介して繋がれたコネクタ８を磁気ヘッドケース６の所定の位置に取り付け、その後、磁気ヘッド素子５を磁気ヘッドケース６にエポキシ系樹脂を用いて接着、固定し、磁気カード（図示せず）との摺動面を円筒研削により規定のＲ形状に形成する。磁気ヘッドケース６の材質としては、支持部材４と同じものでも良いし、他の金属または樹脂を使用しても良い。なお、以上のトラック位置やアジマス等の調整は顕微鏡を用いて行う。
【００２５】
一方、磁気ヘッド素子５の摺動面を円筒研削してから磁気ヘッドケース６に組み込み、位置調整を行う場合も、凸状の位置基準面１６は固定されており、ネジ１９を締めても従来のようなバネを用いた構造ではないため、磁気ヘッド素子５がＲΘ方向にほとんど動くことはなく、摺動面のＲ頂点とギャップ位置はほとんどずれることがない。従って、磁気ヘッド素子５がＲΘ方向に回転することがなく、容易に摺動面のＲ頂点とギャップ位置が同位置にくるようにすることができる。
【００２６】
（第２の実施形態）
図５は本発明の第２の実施形態を示す平面図、図６は図５のＢ−Ｂ線における断面図である。本実施形態では、磁気ヘッド素子５を密着させて磁気ギャップ位置を出すための位置基準面１６を変位可能とするものである。その他の構成は第１の実施形態と同様である。具体的には、磁気ヘッドケース６の側面中央にタップ穴２２が形成され、タップ穴２２にネジ２３が挿通されている。本実施形態では、ネジ２２の先端面が位置基準面１６として用いられ、ネジ２３を調整し、その先端面の位置を調整することにより位置基準面１６を変位可能としている。
【００２７】
このように位置基準面１６を変位可能とすることでギャップ位置ＧＬを更に高精度に調整することができる。また、磁気ヘッド素子５の幅が変わっても、ネジ２３を調整するだけで同じ磁気ヘッドケース６を使用することができる。なお、本実施形態による磁気ヘッドの高さ、ギャップ位置、アジマス等の調整方法は第１の実施形態と同様である。
【００２８】
【発明の効果】
以上説明したように本発明によれば、ギャップ位置とアジマスを容易に且つ短時間で調整することができる。また、磁気ヘッド素子の摺動面を円筒研削してから磁気ヘッドケースに組み込む場合には、摺動面のＲ頂点とギャップを容易に同位置にすることができる。更に、ギャップ位置を調整する位置基準面をネジを用いて変位可能にすることにより、更に高精度にギャップ位置を調整できると共に、磁気ヘッド素子の幅が変わっても同じケースを使用することができる。このように位置調整が容易であるため、製造コストを大幅に削減することができ、また、バネを用いない構造であるため、部品コストを低減することができる。
【図面の簡単な説明】
【図１】本発明の磁気ヘッドの第１の実施形態を示す平面図である。
【図２】図１のＡ―Ａ線における断面図である。
【図３】図１の実施形態の磁気ヘッドケースを位置出し治具に取り付けた状態を示す平面図である。
【図４】図３の側面図である。
【図５】本発明の第２の実施形態を示す平面図である。
【図６】図５のＢ−Ｂ線における断面図である。
【図７】従来例の磁気ヘッドを示す平面図である。
【図８】図７のＡ−Ａ線における断面図である。
【図９】図７の磁気ヘッドケースを位置出し治具に取り付けた状態を示す平面図である。
【図１０】図９の側面図である。
【符号の説明】
１    磁気ギャップ
２ａ、２ｂ    磁気コア
３    磁気シールド部材
４    支持部材
５    磁気ヘッド素子
６    磁気ヘッドケース
７    装置取り付け用のタップ穴
８    コネクタ
９    ＦＰＣ
１１    位置基準面
１４    位置出し治具
１５    トラック位置調整用のネジ
１６    位置基準面
１７    ギャップ位置固定用のタップ穴
１８ａ、１８ｂ    アジマス調整用のタップ穴
１９    ギャップ位置固定用のネジ
２０ａ、２０ｂ    アジマス調整用のネジ
２１    トラック位置調整用の穴
２２    ギャップ位置調整用のタップ穴
２３    ギャップ位置調整用のネジ
【図１】
0003942015.tif 000002
【図２】
0003942015.tif 000003
【図３】
0003942015.tif 000004
【図４】
0003942015.tif 000005
【図５】
0003942015.tif 000006
【図６】
0003942015.tif 000007
【図７】
0003942015.tif 000008
【図８】
0003942015.tif 000009
【図９】
0003942015.tif 000010
【図１０】
0003942015.tif 000011